(57)【要約】【課題】受信処理の簡素化を実現し、受信処理の実装及び動作検証の効率化を高める。【解決手段】この無線中継装置３は、制御部３６により、移動局から送信された、移動局との通信チャネルを確立するための要求信号を、アンテナ３１及び無線回路３３を介して移動局との制御チャネルが割り当てられている受信用スロットに受信し、移動局との通信チャネルを確立するための割当信号を無線回路３３及びアンテナ３１を介して移動局に送信し、割当信号を送信した後、移動局との制御チャネルが割り当てられていた受信用スロットに、移動局との通信チャネルを固定して割り当てを行い、移動局からの同期バースト信号を上記受信用スロットに受信することを繰り返し試み、予め決められた時間内に同期バースト信号を受信しなかった場合に、移動局との通信チャネルを確立するための再割当信号を無線回路３３及びアンテナ３１を介して移動局に送信する。【選択図】図１
2006060602.tif 000002
【特許請求の範囲】
【請求項１】
所定の時間長を有する１フレームを時分割した複数のスロットを受信用スロットと送信用スロットとに分け、前記スロットに制御チャネル又は通信チャネルを割り当てて、ネットワークに接続された基地局と移動局との間で無線通信を行う無線通信システムに、前記基地局又は移動局の一方から送信された無線信号を他方に中継する無線中継装置を用いて、前記移動局との通信チャネルを確立するための要求信号を前記移動局向けの受信用スロットに受信し、前記移動局との通信チャネルを確立するための割当信号を前記移動局に送信する無線チャネル中継方法であって、
前記割当信号を送信した後、前記移動局向けの受信用スロットに、前記移動局との通信チャネルを固定して割り当てを行い、前記移動局からの同期バースト信号を前記移動局向けの受信用スロットに受信することを繰り返し試み、予め決められた時間内に前記同期バースト信号を受信しなかった場合に、前記移動局との通信チャネルを確立するための再割当信号を前記移動局に送信することを特徴とする無線チャネル中継方法。
【請求項２】
所定の時間長を有する１フレームを時分割した複数のスロットを受信用スロットと送信用スロットとに分け、前記スロットに制御チャネル又は通信チャネルを割り当てて、ネットワークに接続された基地局と移動局との間で無線通信を行う無線通信システムに用いられ、前記移動局との通信チャネルを確立するための要求信号を前記移動局向けの受信用スロットに受信する受信手段と、前記移動局との通信チャネルを確立するための割当信号を前記移動局に送信する送信手段とを備え、前記基地局又は移動局の一方から送信された無線信号を他方に中継する無線中継装置であって、
前記割当信号を送信した後、前記移動局向けの受信用スロットに、前記移動局との通信チャネルを固定して割り当てを行う割当手段を備え、
前記受信手段は、前記移動局からの同期バースト信号を前記移動局向けの受信用スロットに受信することを繰り返し試み、
前記送信手段は、予め決められた時間内に前記同期バースト信号を受信しなかった場合に、前記移動局との通信チャネルを確立するための再割当信号を前記移動局に送信する
ことを特徴とする無線中継装置。
【発明の詳細な説明】
【技術分野】
【０００１】
本発明は、例えば、ＰＨＳ（Ｐｅｒｓｏｎａｌ  Ｈａｎｄｙ  ｐｈｏｎｅ  Ｓｙｓｔｅｍ）などの無線通信システムに用いる無線チャネル中継方法及び無線中継装置に関するものである。
【背景技術】
【０００２】
従来から、ＰＨＳなどの無線通信システムＳには、図２に示すように、中継機能を有する無線中継装置３を用いたものがある。無線中継装置３は、ネットワーク（図示せず）に接続された基地局１からの無線信号（例えば、制御信号など）が移動局２に充分に届かない場合に設置される。例えば、建物５の屋外に設置されている基地局１から送信された無線信号が、建物５の窓際５０ａまで届くが、建物５の屋内の窓５０から離れた場所５１に所在する移動局２まで充分に届かない場合に、無線中継装置３は、上記建物５の窓際５０ａに設置され、基地局１から送信された無線信号を中継して移動局２に送信するとともに、移動局２から送信された無線信号を中継して基地局１に送信する。これにより基地局１と移動局２との間で通信を行うことができる。
【０００３】
このとき、無線中継装置３は、基地局１との通信チャネルを確立した後、移動局２との通信チャネルを確立する。その際に、移動局２との制御チャネルが割り当てられていた受信用タイムスロット（以下、「受信用スロット」という）４１ａ（図６参照）に、移動局２との通信チャネルを割り当てる場合がある。例えば、無線中継装置３が同時に２台の移動局２（図２では、１台のみ図示）に対して中継処理を提供する機能を有する場合に、一方の移動局２との通信チャネルが中継中の状態において、他方の移動局２との中継処理を起動するときに、制御チャネルが割り当てられていた受信用スロット４１ａに他方の移動局２との通信チャネルを割り当てなければならない場合等である。
【０００４】
上記の動作を行うために、最近の無線中継装置３は、図６に示すように、移動局２との制御チャネルが割り当てられていた受信用スロット４１ａに、移動局２との制御チャネルと通信チャネルとを切り替えて割り当てる手段を備えている。なお、移動局２のスロット構成は図３に示している。
【０００５】
例えば、無線中継装置３（図２参照）は、受信用スロット４１ａにおいて、合計２０回の受信タイミングのうち、１回を移動局２（図２参照）との制御チャネルを待ち受けて受信するタイミングとし、残り１９回を移動局２との通信チャネルを待ち受けて受信するタイミングとする規則で動作している場合、移動局２との制御チャネルを待ち受けて受信する処理と、移動局２との通信チャネルを待ち受けて受信する処理とを切り替えながら動作させている。
【０００６】
無線中継装置３（図２参照）の制御部は、移動局２（図２参照）との通信チャネルを確立するための要求信号（要求メッセージ）を移動局２から受信した後、先ず、基地局１（図２参照）との通信チャネルを確立する（図４のｔ１〜ｔ４参照）。その後、図７に示すように、移動局２との通信チャネルを確立するための割当信号を移動局２に送信する（図７のｔ１）。移動局２との制御チャネルを受信用スロット４１ａ（図６参照）に割り当てた後に（ｔ２）、移動局２との通信チャネルに切り替えて割り当てる（ｔ３）。同期バースト信号などの通信チャネルの信号を待ち受けて受信する処理を行い（ｔ４）、再度、受信用スロット４１ａに移動局２との制御チャネルを割り当てたときには（ｔ６）、移動局２との通信チャネルを確立するための再要求信号（再要求メッセージ）などの制御チャネルの信号を待ち受けて受信する処理を行う（ｔ７）。
【０００７】
次に、上記無線中継装置３（図２参照）において、基地局１（図２参照）との通信チャネルを確立した後、移動局２（図２参照）との通信チャネルを確立するための動作について図８を用いて説明する。先ず、予め決められた時間内に、移動局２から同期バースト信号を受信した場合について説明する。最初に、移動局２から送信された、移動局２との通信チャネルを確立するための要求信号を、移動局２との制御チャネルが割り当てられている受信用スロット４１ａ（図６参照）に受信した後、基地局１との通信チャネルを確立する。次に、移動局２との通信チャネルを確立するための割当信号を移動局２に送信する（図８のＳ１）。上記割当信号を送信した後、タイマ（図示せず）を起動し、割当信号を送信してからの時間、つまり、移動局２からの同期バースト信号の待ち時間を計測する（Ｓ２）。タイマにより設定された予め決められた時間内であり（Ｓ３）、移動局２との通信チャネルの信号を受信するタイミングになると（Ｓ４）、移動局２との制御チャネルが割り当てられていた受信用スロット４１ａに移動局２との通信チャネルを割り当てるように切り替え、通信チャネルの信号を受信する処理状態にする（Ｓ５）。ここで、移動局２からの同期バースト信号を受信用スロット４１ａに受信することを繰り返し試みる（Ｓ６）。上記同期バースト信号を受信した後、同期バースト信号を移動局２に送信し、さらに、ＴＣＨバースト信号を移動局２に送信し、移動局２からＴＣＨバースト信号を受信する（Ｓ７）。これにより、無線中継装置３は、移動局２との通信チャネルを確立する。
【０００８】
これに対して、予め決められた時間内に、移動局２（図２参照）から同期バースト信号を受信しなかった場合について説明する。最初に、（Ｓ１）〜（Ｓ６）の動作を行う。移動局２からの同期バースト信号を受信用スロット４１ａ（図６参照）に受信しなければ、上記（Ｓ３）からの動作を再度行う。移動局２との制御チャネルの信号を受信するタイミングになると（Ｓ４）、制御チャネルの信号を受信する処理状態に切り替わり（Ｓ８）、移動局２との通信チャネルを確立するための再要求信号を移動局２から受信し（Ｓ９）、再割当の回数が規定値以下であるか否かを判断する（Ｓ１０）。規定値以下であれば、移動局２との通信チャネルを確立するための再割当信号を移動局２に送信し（Ｓ１１）、上記（Ｓ２）からの動作を再度行う。規定値を超えていれば、移動局２との通信チャネルを確立するための処理を停止する（Ｓ１２）。さらに、タイマによる計測を開始してから予め決められた時間内に移動局２から同期バースト信号を受信しないときには（Ｓ３）、上記（Ｓ１０）からの動作を行う。
【０００９】
なお、特許文献１には、無線基地局と無線中継装置との間で割り当てられた１つ目の通信チャネルを選択し、この割り当てられた１つ目の通信チャネル及び無線基地局から送信される制御チャネルから無線端末に割り当てる通信チャネルを決定することにより、無線基地局から割り当てられた２つ目の通信チャネルが無線端末に割り当てられた１つ目の通信チャネルに等しくなることを防ぎ、呼損率を低減する無線通信システム、無線チャネル割当方法及び無線中継装置が開示されている。
【特許文献１】特開２００１−５３６７３号公報（第４頁−第７頁、及び、第１，２図）
【発明の開示】
【発明が解決しようとする課題】
【００１０】
しかしながら、上記従来の無線中継装置などは、移動局との制御チャネルの信号を待ち受けて受信する処理、及び移動局との通信チャネルの信号を待ち受けて受信する処理の両方を必要とするので、受信処理が複雑になるとともに、受信処理の実装と動作検証に手間がかかるという問題があった。
【００１１】
本発明は上記の点に鑑みて為されたものであり、その目的とするところは、受信処理の簡素化を実現することができ、受信処理の実装及び動作検証の効率化を高めることができる無線チャネル中継方法及び無線中継装置を提供することにある。
【課題を解決するための手段】
【００１２】
請求項１に記載の発明は、所定の時間長を有する１フレームを時分割した複数のスロットを受信用スロットと送信用スロットとに分け、前記スロットに制御チャネル又は通信チャネルを割り当てて、ネットワークに接続された基地局と移動局との間で無線通信を行う無線通信システムに、前記基地局又は移動局の一方から送信された無線信号を他方に中継する無線中継装置を用いて、前記移動局との通信チャネルを確立するための要求信号を前記移動局向けの受信用スロットに受信し、前記移動局との通信チャネルを確立するための割当信号を前記移動局に送信する無線チャネル中継方法であって、前記割当信号を送信した後、前記移動局向けの受信用スロットに、前記移動局との通信チャネルを固定して割り当てを行い、前記移動局からの同期バースト信号を前記移動局向けの受信用スロットに受信することを繰り返し試み、予め決められた時間内に前記同期バースト信号を受信しなかった場合に、前記移動局との通信チャネルを確立するための再割当信号を前記移動局に送信することを特徴とする。
【００１３】
この構成では、移動局向けの受信用スロットにおいて、制御チャネルを受信する処理と通信チャネルを受信する処理とを、移動局の動作に合わせて順次切り替える必要がないので、受信処理の簡素化を実現することができ、受信処理の実装及び動作検証の効率化を高めることができる。
【００１４】
請求項２に記載の発明は、所定の時間長を有する１フレームを時分割した複数のスロットを受信用スロットと送信用スロットとに分け、前記スロットに制御チャネル又は通信チャネルを割り当てて、ネットワークに接続された基地局と移動局との間で無線通信を行う無線通信システムに用いられ、前記移動局との通信チャネルを確立するための要求信号を前記移動局向けの受信用スロットに受信する受信手段と、前記移動局との通信チャネルを確立するための割当信号を前記移動局に送信する送信手段とを備え、前記基地局又は移動局の一方から送信された無線信号を他方に中継する無線中継装置であって、前記割当信号を送信した後、前記移動局向けの受信用スロットに、前記移動局との通信チャネルを固定して割り当てを行う割当手段を備え、前記受信手段は、前記移動局からの同期バースト信号を前記移動局向けの受信用スロットに受信することを繰り返し試み、前記送信手段は、予め決められた時間内に前記同期バースト信号を受信しなかった場合に、前記移動局との通信チャネルを確立するための再割当信号を前記移動局に送信することを特徴とする。
【００１５】
この構成では、移動局向けの受信用スロットにおいて、制御チャネルを受信する処理と通信チャネルを受信する処理とを、移動局の動作に合わせて順次切り替える必要がないので、受信処理の簡素化を実現することができ、受信処理の実装及び動作検証の効率化を高めることができる。
【発明の効果】
【００１６】
本発明によれば、受信処理の簡素化を実現することができ、受信処理の実装及び動作検証の効率化を高めることができる。
【発明を実施するための最良の形態】
【００１７】
以下、本発明を第二世代コードレス電話システム標準規格（ＲＣＲ  ＳＴＤ−２８  ４．０版、社団法人電波産業会発行）に準拠した無線通信システムに用いる無線中継装置（中継局）に適用した実施形態について説明する。ただし、基地局及び移動局の構成並びに動作と、無線中継装置の基本動作については上記標準規格に規定されているように従来周知であるから説明を省略する。
【００１８】
本実施形態の無線通信システムＳは、例えば１．９ＧＨｚ帯の無線周波数を利用しているＰＨＳなどであり、図２に示すように、基地局１、移動局２、無線中継装置３を備え、基地局１と移動局２との間で、無線中継装置３を介して無線通信を行う。
【００１９】
上記無線通信の方式の一例として、例えば４チャネル多重のＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ）方式がある。本実施形態では上記ＴＤＭＡ−ＴＤＤ方式を用いている。ＴＤＭＡ−ＴＤＤ方式では、図３に示すように、所定の時間長（例えば、５ｍｓｅｃなど）を有するフレーム４を無線信号の１単位として設定し、さらにフレーム４を８等分に時分割したものをスロット（時間長０．６２５ｍｓｅｃ）４０…，４１…として規定している。そして、フレーム４内にある８つのスロット４０…，４１…のうち、４つのスロットを送信用スロット４０…、残りの４つのスロットを受信用スロット４１…に分けている。上記スロット４０…，４１…に制御チャネル又は通信チャネルを割り当てている。本実施形態では、送信用スロット４０…のうち、４０ａを移動局２との制御チャネルが割り当てられている送信用スロットとし、受信用スロット４１…のうち、４１ａを移動局２との制御チャネルが割り当てられている受信用スロットとする。
【００２０】
各スロット４０…，４１…には１６０ｂｉｔのデータが含まれ、基地局１（図２参照）と無線中継装置３（図２参照）との間、及び無線中継装置３と移動局２（図２参照）との間で５ｍｓｅｃ毎に１６０ｂｉｔのデータが半二重で伝送されるので、単位時間当たりに３２ｋｂｉｔ／ｓｅｃの通信速度が得られる。なお、本実施形態では２０個のフレームで１周期とし、１つのフレーム４の時間長が５ｍｓｅｃの場合、１周期は１００ｍｓｅｃである。
【００２１】
また、ＴＤＭＡ−ＴＤＤ方式を採用したＰＨＳにおいては、１８８４．６５０ＭＨｚ〜１９１９．４５０ＭＨｚの範囲で３００ｋＨｚ毎に設定された多数の周波数チャネル（周波数キャリア）が４つのスロット毎に多重化されている。そのうち、接続に必要な制御情報を転送するといった目的を有する制御チャネルには、通信事業者毎に特定の周波数チャネルが割り当てられ、それ以外の周波数チャネルがユーザ情報を転送することを目的とした通信チャネルに割り当てられている。
【００２２】
基地局１は、図２に示すように、建物５の屋外に設置され、例えば、他の基地局、公衆電話網、及び通信事業者独自のネットワーク（全て図示せず）に接続されている。また、移動局２は、例えばＰＨＳ端末であり、建物５の屋内の窓５０から離れた場所５１に所在し、無線中継装置３との通信チャネルを確立するための要求信号又は再要求信号を無線中継装置３に送信する（図４のｔ１，ｔ８）。
【００２３】
無線中継装置３は、図１に示すように、アンテナ３０，３１、無線回路３２，３３、ベースバンド回路３４，３５、制御部３６を備え、図２に示すように、例えば建物５の窓際５０ａなどに設置され、基地局１から送信された無線信号を中継して移動局２に送信するとともに、移動局２から送信された無線信号を中継して基地局１に送信する。これにより、建物５の屋外に設置された基地局１と、建物５の屋内の窓５０から離れた場所５１に所在する移動局２との間で通信を行うことができる。
【００２４】
アンテナ３０は、図１に示すように、無線回路３２と接続し、基地局１（図２参照）との間で無線信号（電波信号）の送受信を行う。無線回路３２は、アンテナ３０及びベースバンド回路３４と接続し、アンテナ３０で受信された無線信号に基づく高周波信号をベースバンド信号に変換し、そのベースバンド信号をベースバンド回路３４に出力するとともに、ベースバンド回路３４から入力されたベースバンド信号を高周波信号に変換し、その高周波信号を無線信号としてアンテナ３０から基地局１に送信させる。ベースバンド回路３４は、無線回路３２及び制御部３６と接続し、ＴＤＭＡ−ＴＤＤ方式に従い、基地局１に対する無線回線における音声信号及び制御信号の送受信を制御する。
【００２５】
これに対して、アンテナ３１は、無線回路３３と接続し、移動局２（図２参照）との間で無線信号の送受信を行う。無線回路３３は、アンテナ３１及びベースバンド回路３５と接続し、アンテナ３１で受信された無線信号に基づく高周波信号をベースバンド信号に変換し、そのベースバンド信号をベースバンド回路３５に出力するとともに、ベースバンド回路３５から入力されたベースバンド信号を高周波信号に変換し、その高周波信号を無線信号としてアンテナ３１から移動局２に送信させる。ベースバンド回路３５は、無線回路３３及び制御部３６と接続し、ＴＤＭＡ−ＴＤＤ方式に従い、移動局２に対する無線回線における音声信号及び制御信号の送受信を制御する。
【００２６】
制御部３６は、ＣＰＵ、メモリ及びタイマ（全て図示せず）などを備え、ベースバンド回路３４，３５と接続し、メモリに記憶されているプログラムをＣＰＵで実行することにより、無線中継装置３全体の統括制御を行う。
【００２７】
制御部３６は、移動局２（図２参照）から送信された、移動局２との通信チャネルを確立するための要求信号を、受信用スロット４１ａ（図３参照）に受信する（図４のｔ１）。上記要求信号を受信した後、基地局１（図２参照）との通信チャネルを確立する（図４のｔ２〜ｔ４）。その後、無線回路３３及びアンテナ３１を介して、移動局２との通信チャネルを確立するための割当信号を移動局２に送信する（ｔ５）。上記割当信号を送信した後に、タイマ（図示せず）は、割当信号を送信してからの時間を計測する。
【００２８】
制御部３６は、割当信号を送信後、移動局２（図２参照）との制御チャネルが割り当てられていた受信用スロット４１ａ（図３参照）に移動局２との通信チャネルを固定して割り当てるように切り替えを行い、移動局２からの同期バースト信号を受信用スロット４１ａに受信することを繰り返し試みる（図４のｔ６）。この間、移動局２との通信チャネルの信号を受信するタイミングであっても、移動局２との制御チャネルの信号を受信するタイミングであっても、一貫して通信チャネルの信号を受信する処理を行う。これにより、受信タイミング毎に、通信チャネルの信号を受信する処理と、制御チャネルの信号を受信する処理とを動的に切り替える必要がなくなる。
【００２９】
このようにすると、例えば、合計２０回の受信タイミングのうち、１回を移動局２（図２参照）との制御チャネルを待ち受けて受信するタイミングとし、残り１９回を移動局２との通信チャネルを待ち受けて受信するタイミングとする規則で動作している場合であっても、制御部３６は、移動局２との制御チャネルを待ち受けて受信する処理と、移動局２との通信チャネルを待ち受けて受信する処理とを、移動局２の動作に合わせて順次チャネルを切り替えながら動作させる必要がなくなる。
【００３０】
制御部３６は、タイマ（図示せず）が計測を開始してから予め決められた時間（例えば２００ｍｓｅｃ）内に移動局２（図２参照）から同期バースト信号を受信した場合には、ＴＣＨバースト信号を移動局２に送信し、移動局２との通信チャネルを確立する（図４のｔ１１，ｔ１２）。これに対して、上記予め決められた時間内に同期バースト信号を受信しなかった場合には（ｔ９）、移動局２との通信チャネルを確立するための再割当信号を移動局２に送信する（ｔ１０）。
【００３１】
次に、本実施形態の無線中継装置３において、移動局２（図２参照）との通信チャネルを確立するための動作について図５を用いて説明する。先ず、予め決められた時間内に、移動局２から同期バースト信号を受信した場合について説明する。最初に、移動局２から送信された、移動局２との通信チャネルを確立するための要求信号を、移動局２との制御チャネルが割り当てられている受信用スロット４１ａ（図３参照）に受信した後、基地局１（図２参照）との通信チャネルを確立する（図４参照）。次に、移動局２との通信チャネルを確立するための割当信号を移動局２に送信する（図５のＳ１）。上記割当信号を送信した後、移動局２との制御チャネルが割り当てられていた受信用スロット４１ａに、移動局２との通信チャネルを固定して割り当てるように切り替え、タイマ（図示せず）を起動し、割当信号を送信してからの時間、つまり、移動局２からの同期バースト信号の待ち時間を計測する（Ｓ２）。タイマにより設定された予め決められた時間内であり（Ｓ３）、移動局２との通信チャネルの信号を受信するタイミングになると（Ｓ４）、通信チャネルの信号を受信する処理状態になる（Ｓ５）。ここで、移動局２からの同期バースト信号を受信用スロット４１ａに受信することを繰り返し試みる（Ｓ６）。上記同期バースト信号を受信した後、同期バースト信号を移動局２に送信し、さらに、ＴＣＨバースト信号を移動局２に送信し、移動局２からＴＣＨバースト信号を受信する（Ｓ７）。これにより、無線中継装置３は、基地局１との通信チャネルを確立した後、移動局２との通信チャネルを確立する。
【００３２】
これに対して、予め決められた時間内に、移動局２（図２参照）から同期バースト信号を受信しなかった場合について説明する。最初に、（Ｓ１）〜（Ｓ６）の動作を行う。移動局２からの同期バースト信号を受信用スロット４１ａ（図３参照）に受信しなければ、上記（Ｓ３）からの動作を再度行う。移動局２との制御チャネルの信号を受信するタイミングになっても（Ｓ４）、通信チャネルの信号を受信する処理状態を継続し（Ｓ８）、その結果、受信エラーとなる（Ｓ９）。さらに、タイマによる計測を開始してから予め決められた時間内に移動局２から同期バースト信号を受信しないときには（Ｓ３）、再割当の回数が規定値以下であるか否かを判断する（Ｓ１０）。規定値以下であれば、移動局２との通信チャネルを確立するための再割当信号を移動局２に送信し（Ｓ１１）、上記（Ｓ２）からの動作を再度行う。規定値を超えていれば、移動局２との通信チャネルを確立するための処理を停止する（Ｓ１２）。
【００３３】
上記より、移動局２との制御チャネルが割り当てられていた受信用スロット４１ａ（図３参照）に、移動局２（図２参照）との通信チャネルを固定して割り当てた場合、移動局２からの同期バースト信号を受信しなければ、移動局２との通信チャネルを確立するための再割当信号を移動局２に送信するので、移動局２からの受信タイミングにおいて、同期バースト信号のみを対象として処理すればよい。
【００３４】
以上、本実施形態によれば、移動局２との制御チャネルが割り当てられていた受信用スロット４１ａに、移動局２との通信チャネルを固定して割り当てるので、制御チャネルを受信する処理と通信チャネルを受信する処理とを、移動局２の動作に合わせて順次切り替える必要がなく、これにより、受信処理の簡素化を実現することができ、受信処理の実装及び動作検証の効率化を高めることができる。
【図面の簡単な説明】
【００３５】
【図１】本発明による実施形態の無線中継装置のブロック図である。
【図２】同上の無線通信システムのブロック図である。
【図３】同上の無線中継装置の動作を説明するためのスロットの構成図である。
【図４】同上の無線中継装置の動作を説明するためのシーケンス図である。
【図５】同上の無線中継装置の動作を説明するためのフローチャートである。
【図６】従来の無線中継装置の動作を説明するためのスロットの構成図である。
【図７】同上の無線中継装置の動作を説明するためのシーケンス図である。
【図８】同上の無線中継装置の動作を説明するためのフローチャートである。
【符号の説明】
【００３６】
１  基地局
２  移動局
３  無線中継装置
３０，３１  アンテナ
３２，３３  無線回路
３４，３５ベースバンド回路
３６  制御部
４１  受信用スロット
Ｓ  無線通信システム
【図１】
2006060602.tif 000003
【図２】
2006060602.tif 000004
【図３】
2006060602.tif 000005
【図４】
2006060602.tif 000006
【図５】
2006060602.tif 000007
【図６】
2006060602.tif 000008
【図７】
2006060602.tif 000009
【図８】
2006060602.tif 000010